(57)【要約】      （修正有）【課題】設置後のメンテナンスもいつでも容易かつ確実に行えるようにすることで常に適正な作動性が得られるようにして特に非常時の作動が安全のため確保できるようにした非常用防護装置を提供する。【解決手段】河川岸、海岸、湖沼水畔など長い岸を対象にして設置される溝部付き基台１２と、該基台の溝部内に長手方向に添って隣り合う関係で複数配列されてそれぞれ昇降可能とされた昇降壁１５と、少なくとも上昇時の昇降壁相互間に構成されて増水側からの水を遮断するようにする壁間シール手段と、昇降壁を昇降駆動可能とする油圧、水圧あるいは空圧、電動式などのうちから特定される直動式シリンダである駆動手段３０とを有し、前記基台の上端には、昇降壁を昇降自在に連結した駆動手段の上部に連結された支持部材が昇降壁および駆動手段とともに溝部の外部に抜脱可能な状態で取り付けられている。【選択図】図６
0003225136.tif 000002
【実用新案登録請求の範囲】
【請求項１】
河川岸、海岸、湖沼水畔など長い岸を対象にして設置される溝部付き基台と、該基台の溝部内に長手方向に添って隣り合う関係で複数配列されてそれぞれ昇降可能とされた昇降壁と、少なくとも上昇時の昇降壁相互間に構成されて増水側からの水を遮断するようにする壁間シール手段と、昇降壁を昇降駆動可能とする油圧、水圧あるいは空圧、電動式などのうちから特定される直動式シリンダである駆動手段とを有し、前記基台の上端には、昇降壁を昇降自在に連結した駆動手段の上部に連結された支持部材が昇降壁および駆動手段とともに溝部の外部に抜脱可能な状態で取り付けられている非常用防護装置。
【考案の詳細な説明】
【技術分野】
【０００１】  本考案は、非常用防護装置に関する。
【背景技術】
【０００２】  河川の氾濫を防止するには、河岸である堤防の上に胸壁を設けるようにする方法があり、この胸壁形成方式には、堤防から上向きに突き出す固定式のものと、平時は堤防内に納めておく一方洪水時に上昇させて壁を形成するようにする可動式のものとがある。固定式のものは、特に観光地にあってはその壁の存在自体が河岸や河川一帯の景観を損なうことがあり、可動式のものでは、堤防の天端に上昇時の壁を固定するための固定支柱を堤防の天端に立設配備しておく必要があるため該支柱の存在自体が河岸や河川一帯の景観を損なうことになっていた。
そうした平時においても景観が損なわれないようにした堤防技術の一つとして特許文献１に開示の可動堤防の技術が提供された。
【先行技術文献】
【特許文献】
【０００３】
【特許文献１】特開２０１６−４４５３０号
【考案の概要】
【考案が解決しようとする課題】
【０００４】  上記特許文献１にかかる非常用防護装置は、津波・高潮などの襲来が想定される特定地域を対象にして襲来に先立って始動される油圧シリンダや電動シリンダなどの直動式シリンダで昇降自在な堰を配備してなる非常用防護装置であって、堰は、垂直を含む前あるいは後傾斜式のピット内に堰端部同士が堰間密閉部材を介して水密式にして隣り合う関係で複数枚列状に配備されて平時は上面が閉止された状態でピット内に納まり非常時には直動式シリンダにより地盤（基台）より高く上昇するようになっているものである。
こうした非常用防護装置では、ピット内に固定された直動式シリンダが、下端をピット内にピン止めして固定されているため、一旦設置固定したあとには、内部装置をメンテナンスをして作動の安全性を確保することが簡単にはできなかったものである。従って、メンテナンスはそのまま放置した状態になってしまうため、肝心な洪水や津波が襲来したときに作動しなくなるおそれもあった。【０００５】  本考案は、このような問題を解決しようとするものであり、設置後のメンテナンスもいつでも容易かつ確実に行えるようにすることで常に適正な作動性が得られるようにして特に非常時の作動が安全のため確保できるようにした非常用防護装置を提供することを目的とする。
【課題を解決するための手段】
【０００６】  本考案は上記目的を達成するため、請求項１に記載の考案は、河川岸、海岸、湖沼水畔など長い岸を対象にして設置される溝部付き基台と、該基台の溝部内に長手方向に添って隣り合う関係で複数配列されてそれぞれ昇降可能とされた昇降壁と、少なくとも上昇時の昇降壁相互間に構成されて増水側からの水を遮断するようにする壁間シール手段と、昇降壁を昇降駆動可能とする油圧、水圧あるいは空圧、電動式などのうちから特定される直動式シリンダである駆動手段とを有し、前記基台の上端には、昇降壁を昇降自在に連結した駆動手段の上部に連結された支持部材が昇降壁および駆動手段とともに溝部の外部に抜脱可能な状態で取り付けられている。
【考案の効果】
【０００７】  上述したように請求項１に記載の考案は、河川岸、海岸、湖沼水畔など長い岸を対象にして設置される溝部付き基台と、該基台の溝部内に長手方向に添って隣り合う関係で複数配列されてそれぞれ昇降可能とされた昇降壁と、少なくとも上昇時の昇降壁相互間に構成されて増水側からの水を遮断するようにする壁間シール手段と、昇降壁を昇降駆動可能とする油圧、水圧あるいは空圧、電動式などのうちから特定される直動式シリンダである駆動手段とを有し、前記基台の上端には、昇降壁を昇降自在に連結した駆動手段の上部に連結された支持部材が昇降壁および駆動手段とともに溝部の外部に抜脱可能な状態で取り付けられているので、設置後のメンテナンスもいつでも容易かつ確実に行えるようにすることで常に適正な作動性が得られるようにして特に非常時の作動が安全のため確保できるようにした非常用防護装置を提供することができる。
【図面の簡単な説明】
【０００８】
【図１】  本考案の非常用防護装置の設置状況の実施形態を示す平面図。
【図２】  図１のＩＩ部拡大正面図。
【図３】  図２のＩＩＩ方向からの拡大矢視図。
【図４】  図６のＩＶ−ＩＶ線断面図。
【図５】  図４のＶ−Ｖ線断面図。
【図６】  図４のＶＩ−ＶＩ線断面図。
【図７】  他の実施形態を示す横断面図。
【考案を実施するための形態】
【０００９】  以下、本考案である非常用防護装置の一実施形態を図１ないし図６を参照しつつ説明する。図１ないし図６の実線状態は非常用防護装置の平時の状態を示す。
図１において１は河川（低水路）で、Ｘはその流れ方向であり、２は右岸堤防、３は左岸堤防を示している。右岸堤防２は洪水に対し旧来から充分高く形成されているが、左岸堤防３の方は旧来から洪水で度々溢流する低いものであった。左岸堤防３側には高水敷４から表のり面５を超えたところに歩道６が設けられ、その近くには車道７が通されているとともに車道７の脇には観光地によくみられる土産物屋とか旅館などの建屋８…が設けられている。９は河川１上を渡す橋である。左岸堤防３の図示範囲の最も上流側部分３ａは図２の歩道６の面よりもやや高くなっており、その上流側部分３ａから下流側に緩やかに低くなった歩道６上に添って本考案である非常用防護装置が設置されている。
【００１０】  非常用防護装置は、河川岸、海岸、湖沼水畔など長い岸を対象にして設けられる形式のもので、ここでは、河川岸の歩道６上における上流側から下流側に向けて１列状に配設されている。
非常用防護装置は、要部としてコンクリート現場打設式の基台１２を備える。基台１２はＲＣ製であるがその鉄筋補強構造は図示省略されている。基台１２は、Ｕ字溝製品のように長さが例えば、２１００ｍｍなどのように一定長さに規定されたブロック製品が使用されることがある。Ｕ字溝製品の基台１２を直列に並べる場合は、その相互間は基台間シール材が介装される。基台１２は金属製、樹脂製あるいは木製とされることがある。
【００１１】  この基台１２は、底部ａと河川側である前部ｂおよび歩道６側である後部ｃを備えており、前部ｂは後部ｃよりも少し肉厚状で下方へ向かうに従って厚みが大きくなっている。例えば、図６における基台１２の上部前後幅が３００ｍｍ、溝部ｄは幅が１５０ｍｍとされる。この基台１２は、高さが９００ｍｍで、左右幅は２００ｍとされる。左右幅は１００ｍあるいは５０ｍ、３０ｍと前記より少し短い単位長さとされることがある。
以下では一連に長い、例えば、２００ｍ長さの基台１２を例にして説明する。１３は地業である。
【００１２】  この基台１２は、図６に示すように、表のり面５の上側である歩道６の川側内に約６００ｍｍ程度の深さをもって埋設固定されている。基台１２の溝部ｄ内の前側（河川側）には、昇降壁１５が昇降自在に設けられている。昇降壁１５は、縦が５００ｍｍで左右幅が２０００ｍｍの横長状矩形をした中空で前後幅（厚み）が５０ｍｍのＳＵＳやアルミ合金などの金属製や樹脂製のものであり、その左右両端には凹状或いは凸状をした弾性質の壁間シール材１６，１６が取り付けられ、その隣り合うもの１６，１６同士が凹凸状に密着しながら上下し得ることにより上昇したときに前方からの洪水時の浸水を防止するようになっている。壁間シール材１６は左右幅が５０ｍｍ程度で前後の厚みは５０ｍｍ前後になっており、高さは５００ｍｍになっている。
【００１３】  昇降壁１５を上下方向である垂直に昇降させるため、前ガイドローラー２１と後ガイドローラー２２を備えている。前・後ガイドローラー２１、２２は、昇降壁１５の下端とそれより２０ｃｍ程度高い位置の前後面に配置されかつ正面からみれば図２に示すように昇降壁１５の幅間中央から一定幅離れた上下位置に設けられている。溝部ｄ内の上位に上下しない上部定置ローラーを設ける一方昇降壁１５の下部前後に上下するガイドローラーを設けてもよいが、昇降壁１５を上方へ抜脱する際に下部のガイドローラーが上部定置ローラーに干渉しないような位置関係にしておく必要がある。
【００１４】  ２５はシリンダ受材ともいえる支持部材で金属板製でなり、前後幅が１５０ｍｍ程度の横長状の矩形板とされ、横方向の長さは、前記昇降壁１５の横幅２０００ｍｍに左右の壁間シール材１６，１６の各幅５０ｍｍを加えた２１００ｍｍ程度とされている。この支持部材２５は、その後部を基台１２の後部ｃ上に載せるとともにその前側を溝部ｄ上開口に張り出した状態とされ、前記後部は後部ｃ内に埋め込まれた受ねじ２６に支持部材２５の孔を通じてねじ込まれたアイボルトである後吊掛アンカー２７を介して固定されるようになっている。後吊掛アンカー２７は、１枚の支持部材２５当たり左右一対設けられている。後吊掛アンカー２７は、左に回されて受ねじ２６から外されてもフランジが支持部材２５に回転自在に掛けられているので、支持部材２５から容易に外れることはない。
【００１５】  支持部材２５の前部には、後吊掛アンカー２７の前側に位置するように前吊掛アンカー２８が溶接固着されている。３０は油圧、水圧などのシリンダでなる駆動手段であり、この駆動手段３０は、その尾端部を支持部材２５の前部左右幅間中央に固着する一方ロッド３１の先端部３２を下方に伸ばして溝部ｄの底面に固着した凹溝型受盤３３内に連結関係なしに当て付けられて退避するようにされている。
Ｐ１は入側配管、Ｐ２は出側配管であり、支持部材２５を通じて外部に導かれている。
【００１６】  ロッド３１の先端には、連結体３５が設けられ、その連結体３５には前記昇降壁１５との間に設けた縦つなぎ材３６が設けられている。
昇降壁１５の上端には、支持部材２５と前部ｂとの間を塞ぐ前蓋３８が設けられており、この前蓋３８の底面には、前側シール材３９と後側シール材４０が設けられ、前側シール材３９は支持部材２５上に後側シール材４０は基台１２の上端面に載り掛ってシールがなされるようになっている。
【００１７】  図１ないし図６は駆動手段３０がロッド３１を下向きに伸長させ昇降壁１５を基台１２内に収納退避させた平時の状態にある場合を示している。洪水で非常時になると、駆動手段３０は縮小され、それにより昇降壁１５は持ち上げられてゆき、洪水を防護することになる。平時においてメンテナンスが必要になった場合、後吊掛アンカー２７を受ねじ２６から外すとともに前吊掛アンカー２８にも吊上げ部材（ワイヤーロープなど）４３を掛けて持ち上げるようにすれば、駆動手段３０・昇降壁１５などの全てが持ち上げられることになってメンテナンスを容易かつ確実に行うことができるようになる。
【００１８】  図７は他の実施形態を示す。駆動手段３０はロッド３１を上向きにしたものにしてもよく、その背部に連結したＬ字形支持部材２５を後吊掛アンカー２７により基台１２側に支持してある。ロッド３１の上端には連結体３５が取り付けられるとともに縦つなぎ材３６を下向きに伸ばしてその下端に昇降壁１５を連結してある。その他は前記と同じ符号を付してある。
【符号の説明】
【００１９】  １…河川  ２，３…岸堤防  １２…基台  １５…昇降壁  １６…壁間シール材  ２５…支持部材  ３０…駆動手段。
【図１】
0003225136.tif 000003
【図２】
0003225136.tif 000004
【図３】
0003225136.tif 000005
【図４】
0003225136.tif 000006
【図５】
0003225136.tif 000007
【図６】
0003225136.tif 000008
【図７】
0003225136.tif 000009